(57)【要約】【課題】待ち受け受信時の消費電力を削減する。【解決手段】受信データを解析して、送信端末から呼び出しを受けているか否かを判定するデータ解析部７と、待ち受け受信開始後に間欠受信タイマ５からの割り込み信号を受けて、データ受信・処理部３およびデータ解析部７を作動させた状態において呼び出しを受けた場合に、ＣＰＵ６の制御下で通話処理を行わせ、呼び出しを受けなかった場合には、データ受信・処理部２およびデータ解析部７の動作を停止する受信制御部とを備える。【選択図】　図１
2004064293.tif 000002
【特許請求の範囲】
【請求項１】
基地局から送信されたデータを受信してデジタル処理するデータ受信・処理部と、
前記データ受信・処理部を通して得られた受信データを解析し、送信端末からの呼び出しの有無を検出するデータ解析部と、
待ち受け受信開始後に設定時間経過すると割り込み信号を出力する間欠受信タイマと、
前記割り込み信号を受けて、前記データ受信・処理部およびデータ解析部の起動停止を制御し、待ち受け受信を行う受信制御部と、
を具備したことを特徴とするデジタル携帯電話装置。
【請求項２】
前記受信制御部は、前記割り込み信号を受けて、前記データ受信・処理部およびデータ解析部を起動させた状態で前記呼び出しを受けた場合に、マイクロプロセッサの制御下で通話処理を行わせ、前記呼び出しを受けなかった場合に、前記データ受信・処理部およびデータ解析部を停止させることを特徴とする請求項１記載のデジタル携帯電話装置。
【発明の詳細な説明】
【０００１】
【発明の属する技術分野】
本発明は、デジタル携帯電話装置に関する。
【０００２】
【従来の技術】
図３は従来のデジタル携帯電話装置を示すブロック図である。図３において、１は基地局からの電波を受信するアンテナ、２はアンテナ１を介して受信したデータをデジタル処理するデータ受信・処理部で、無線受信された高周波信号（ＲＦ）を中間周波信号（ＩＦ）、低周波信号に変換し復調する無線部３と、無線部３の出力にＴＤＭＡ処理などのデジタル信号処理を施す受信部４からなる。５は待ち受け時の間欠受信間隔を測定する間欠受信タイマ、６は間欠受信タイマ５の出力により受信データ処理部２の動作を制御するマイクロプロセッサ（ＣＰＵ）である。
【０００３】
以上のように構成されたデジタル携帯電話装置について、以下その動作を説明する。デジタル携帯電話が待ち受け受信を開始する場合には、待ち受け受信時の消費電力を削減するために、ＣＰＵ６の制御により、データ受信・処理部２の受信部４の動作を停止し、無線部３の電源をオフにする。また、間欠受信間隔を間欠受信タイマ５にセットして、間欠受信タイマ５を起動した後、ＣＰＵ６自身の動作も停止させて、待ち受け受信状態に入る。
【０００４】
待ち受け受信状態に入った後、間欠受信タイマ５が設定された時間になると、間欠受信タイマ５は割り込み信号を出力し、割り込みによりＣＰＵ６が起動される。ＣＰＵ６の起動後、ＣＰＵ６の制御により無線部３の電源がオンにされ、受信部４の動作が開始される。
【０００５】
アンテナ１で受信された受信データは、無線部３で高周波信号から中間周波信号、低周波信号に順次変換された後復調され、さらに、受信部４に送られて、増幅およびＴＤＭＡ処理などのデジタル信号処理が行われる。また、受信部４で処理された受信データはＣＰＵ６に送られる。ＣＰＵ６ではその受信データに基づいて自端末が呼び出されいているか否かを解析する。解析の結果、自端末が呼び出されていた場合には通話処理に移行し、自端末が呼び出されていない場合には、前記と同様に、ＣＰＵ６の制御により受信部４の動作を停止し、無線部３の電源をオフにする。さらに、間欠受信タイマ５に待ち受け受信間隔をセットして、間欠受信タイマ５を起動した後、ＣＰＵ６自身の動作も停止し、再度待ち受け受信の動作に戻る。
【０００６】
【発明が解決しようとする課題】
しかしながら、前記従来の構成では、データ受信・処理部２の動作制御、すなわち無線部３の電源制御および受信部４の起動制御と受信データの解析をＣＰＵ６が行っているため、待ち受け受信状態においては自端末が呼び出されていない場合でも、ＣＰＵ６を動作状態に維持しなくてはならず、この結果、待ち受け受信時の消費電力が大きくなってしまうという問題があった。
【０００７】
本発明は前記従来の課題を解決するもので、待ち受け受信時の消費電力を削減できるデジタル携帯電話装置を実現することを目的とする。
【０００８】
【課題を解決するための手段】
この課題を解決するために本発明のデジタル携帯電話装置は、基地局から送信されたデータを受信してデジタル処理するデータ受信・処理部と、前記データ受信・処理部を通して得られた受信データを解析し、送信端末からの呼び出しの有無を検出するデータ解析部と、待ち受け受信開始後に設定時間経過すると割り込み信号を出力する間欠受信タイマと、前記割り込み信号を受けて、前記データ受信・処理部およびデータ解析部の起動停止を制御し、待ち受け受信を行う受信制御部とを具備したことを特徴とする。
【０００９】
この構成により、受信制御部が一定時間毎にデータ受信処・処理部およびデータ解析部の起動停止を制御して送信端末からの呼び出しを検出することで、マイクロプロセッサを起動させることなく待ち受け受信を行うことができ、待ち受け受信時の消費電力を削減することができる。
【００１０】
さらに、前記受信制御部は、前記割り込み信号を受けて、前記データ受信・処理部およびデータ解析部を起動させた状態で前記呼び出しを受けた場合に、マイクロプロセッサの制御下で通話処理を行わせ、前記呼び出しを受けなかった場合に、前記データ受信・処理部およびデータ解析部を停止させることを特徴とする。
【００１１】
この構成により、受信制御部は、待ち受け受信状態において、間欠受信タイマで設定された時間になると、データ受信・処理部およびデータ解析部を起動し、データの受信および必要とするデジタル処理とデータ解析とを行い、自端末が呼び出しを受けていた場合のみマイクロプロセッサを起動して通話処理に移行可能にし、自端末が呼び出されていない時は、マイクロプロセッサを起動することなく、前記データ受信・処理部およびデータ解析部を停止させて、再度待ち受け受信を開始することで、自端末が呼び出しを受けていない時に、マイクロプロセッサを起動することなく待ち受け受信を行うことができ、待ち受け受信時の消費電力を削減することができる。
【００１２】
【発明の実施の形態】
以下、本発明の実施の形態を図面を参照して説明する。
図１は本発明の一実施の形態におけるデジタル携帯電話装置を示すブロック図である。図１において、１は基地局からの電波を受信するアンテナ、２はアンテナ１を介して受信したデータをデジタル処理するデータ受信・処理部で、無線受信された高周波信号（ＲＦ）を中間周波信号（ＩＦ）、低周波信号に変換し復調する無線部３と、無線部３の出力にＴＤＭＡ処理などのデジタル信号処理を施す受信部４からなる。７はデータ受信・処理部を通して得られた受信データを解析し、送信端末から呼び出しを受けているか否かを判定するデータ解析部である。
【００１３】
５は待ち受け受信開始後に設定時間（非受信間隔）経過すると割り込み信号を出力する間欠受信タイマ、８は間欠受信タイマ５からの割り込み信号を受けて、データ受信・処理部２およびデータ解析部７を作動させた状態で呼び出しを受けた場合に、マイクロプロセッサ（ＣＰＵ）６の制御下で通話処理を行わせ、呼び出しを受けなかった場合には、データ受信・処理部２およびデータ解析部７の動作を停止する受信制御部である。
【００１４】
図２は本実施形態のデジタル携帯電話装置の動作を示すフローチャートである。デジタル携帯電話が待ち受け受信を開始する場合、待ち受け受信時の消費電力を削減するために、ＣＰＵ６の制御により受信制御部８に待ち受け受信開始が指示されると（ステップＳ１）、受信制御部７は、データ受信・処理部２の動作を停止する。具体的には受信部４およびデータ解析部７の動作が停止し、無線部３の電源がオフとなる（ステップＳ２）。さらに、間欠受信間隔を間欠受信タイマ５にセットして（ステップＳ３）、間欠受信タイマ５を起動した後、ＣＰＵ６を停止し（ステップＳ４）、待ち受け受信を開始する。
【００１５】
待ち受け受信が開始された後、間欠受信タイマ５が設定された時間になると（ステップＳ５）、間欠受信タイマ５は割り込み信号を出力し（ステップＳ６）、受信制御部８は無線部３の電源を自動的にオンにし、受信部４およびデータ解析部７の動作を自動的に開始させる（ステップＳ７）。このとき、ＣＰＵ６は起動されない。
【００１６】
アンテナ１で受信された高周波の受信データは、無線部３で中間周波信号、低周波信号に順次変換された後復調され、さらに、受信部４に送られて増幅およびＴＤＭＡ処理などのデジタル信号処理が行われる。また、受信部４で処理された受信データはデータ解析部７に送られる。データ解析部７は受信データとＣＰＵ６で間欠受信開始前に設定されたデータを比較して、自端末が呼び出されているか否かを解析する（ステップＳ８）。
【００１７】
解析の結果、自端末が呼び出されていた場合には、このとき初めてＣＰＵ６を起動して（ステップＳ９）、通話処理に移行する（ステップＳ１０）。これに対して、自端末が呼び出されていない場合には、ＣＰＵ６を起動することなく、受信制御部８の制御により、受信部４およびデータ解析部７の動作を停止させ、無線部３の電源をオフにする。さらに、間欠受信タイマ５に待ち受け受信間隔をセットして、間欠受信タイマ５を起動した後、ＣＰＵ６自身の動作を停止し、再度待ち受け受信の状態に戻る。
【００１８】
このように、待ち受け状態での間欠受信時に、自端末が呼び出されていない時には、ＣＰＵを起動させないようにすることで、待ち受け受信時の消費電力を削減することができる。
【００１９】
【発明の効果】
以上のように、本発明のデジタル携帯電話装置によれば、待ち受け受信時、自端末が呼び出されていないときに、マイクロプロセッサを起動することなく待ち受け受信を行うことができるので、待ち受け受信時の消費電力の低減を実現できる。
【図面の簡単な説明】
【図１】本発明の一実施の形態によるデジタル携帯電話装置を示すブロック図である。
【図２】図１に示すデジタル携帯電話装置の動作の流れを示すフローチャートである。
【図３】従来のデジタル携帯電話装置を示すブロック図である。
【符号の説明】
２　データ受信・処理部
６　ＣＰＵ
７　データ解析部
８　受信制御部
【図１】
2004064293.tif 000003
【図２】
2004064293.tif 000004
【図３】
2004064293.tif 000005